(57)【要約】【課題】本発明の目的は、投手の投球動作や打者の打撃動作に適したスパイクを有する野球靴を提供することである。【解決手段】アウトソール２の下面２０に沿ってアウトソール２に固定される固定部１０と、固定部１０から地面に向かって突出し地面に係合する板状の歯１１，１２とが連なった金属製のスパイク１Ａ，１Ｂを前足部２ｆに複数有する野球靴であって、複数のスパイク１Ａ，１Ｂのうち足の外側Ｌａに配置された外側スパイク１Ｂと、複数のスパイク１Ａ，１Ｂのうち母趾球Ｏ１または足の内側Ｍｅにおける母趾球Ｏ１よりも前方Ｆに配置された１又は複数の内側スパイク１Ａと、を備え、内側スパイク１Ａのうち少なくとも１つは、板状の歯における固定部１０に連なる基端部１１ｂから当該歯の先端部１１ｅが足の内側Ｍｅに向かうように、板状の歯の面１５がアウトソール２の下面２０に対して傾いた傾き歯１２を備える。【選択図】図５
2014124401.tif 000002
【特許請求の範囲】
【請求項１】
アウトソール２の下面２０に沿って前記アウトソール２に固定される固定部１０と、前記固定部１０から地面に向かって突出し地面に係合する板状の歯１１，１２とが連なった金属製のスパイク１Ａ，１Ｂを前足部２ｆに複数有する野球靴であって、
前記複数のスパイク１Ａ，１Ｂのうち足の外側Ｌａに配置された外側スパイク１Ｂと、
前記複数のスパイク１Ａ，１Ｂのうち母趾球Ｏ１または足の内側Ｍｅにおける前記母趾球Ｏ１よりも前方Ｆに配置された１又は複数の内側スパイク１Ａと、を備え、
前記内側スパイク１Ａのうち少なくとも１つは、
前記板状の歯における前記固定部１０に連なる基端部１１ｂから当該歯の先端部１１ｅが足の内側Ｍｅに向かうように、前記板状の歯の面１５が前記アウトソール２の前記下面２０に対して傾いた傾き歯１２を備える、野球靴。
【請求項２】
請求項１において、前記傾き歯１２の面１５が前記アウトソール２の下面２０の法線Ｖとなす傾き角θが５°〜５５°に設定されている、野球靴。
【請求項３】
請求項１において、前記傾き歯１２の面１５が前記アウトソール２の下面２０の法線Ｖとなす傾き角θが２０°〜５５°に設定されている、野球靴。
【請求項４】
請求項１において、前記１又は複数の傾き歯１２の足の長軸Ｌ０方向の最前端１２ｆから最後端１２ｂまでの距離Ｄ１が２０〜８０ｍｍに設定された、野球靴。
【請求項５】
請求項１において、前記傾き歯１２の内側スパイク１Ａが第１趾Ｂ１に配置され、
足の長軸Ｌ０と前記傾き歯１２の前記基端部１１ｂが延びる仮想の第１ラインＬ１とのなす配置角αは足の先端側において０°〜２０°、あるいは、足の後端側において０°〜１０°となるように設定されている、野球靴。
【請求項６】
請求項１において、前記内側スパイク１Ａは前記傾き歯１２が前記母趾球Ｏ１よりも前方Ｆに配置され、かつ、
前記傾き歯１２よりも傾きが小さいか又は前記傾きを有していない非傾き歯１１、あるいは、前記傾き歯１２とは別の傾き歯が前記母趾球Ｏ１に配置された、野球靴。
【請求項７】
請求項６において、前記内側スパイク１Ａの前記傾き歯１２の固定部１０と前記内側スパイク１Ａの非傾き歯１１又は前記別の傾き歯の固定部との間を連結する金属製の第１連結部１３と、
前記外側スパイク１Ｂよりも前方Ｆに配置された爪先スパイク１Ｃの固定部１０と前記外側スパイク１Ｂの固定部１０との間を連結する金属製の第２連結部１４とを更に備え、
前方Ｆに向かうに従い内側Ｍｅに傾いた仮想の第２ラインＬ２を含む分離帯２１により、前記２つの連結部１３，１４が互いに分離されている、野球靴。
【請求項８】
請求項１において、前記外側スパイク１Ｂよりも前方Ｆに配置された爪先スパイク１Ｃおよび前記外側スパイク１Ｂの各歯は、前記傾き歯１２よりも傾きが小さいか、あるいは、前記傾きを有していない非傾き歯１１である、野球靴。
【請求項９】
請求項８において、前記傾き歯１２の前記アウトソール２の下面２０からの距離Ｄｈが前記非傾き歯１１のそれよりも小さいか、あるいは、同じである、野球靴。
【請求項１０】
請求項８において、前記傾き歯１２の前記固定部１０からの突出長さＰｌが、前記非傾き歯１１のそれよりも小さいか又は大きいか、あるいは、同じである、野球靴。
【発明の詳細な説明】
【技術分野】
【０００１】
本発明は硬式野球、軟式野球、ソフトボールなどの野球靴の特にスパイクに関する。
【背景技術】
【０００２】
これらの野球靴のスパイクは、一般に、アウトソールの下面に対し直角に突出する板状の歯を持つ。
【先行技術文献】
【特許文献】
【０００３】
【特許文献１】ＪＰ２００６−１４１８２６  Ａ１  （要約）
【特許文献２】ＪＰ２００１−１７２０５  Ａ１  （要約）
【特許文献３】ＪＰ２０００−１２５９０１  Ａ１  （要約）
【特許文献４】ＪＰ２００１−５４４０２  Ａ１ (要約)
【特許文献５】ＪＰ１１−４２８０１  Ａ１  （要約）
【特許文献６】ＪＰ０９−４７３０３  Ａ１  （要約）
【特許文献７】ＪＰ２０１２−５０８１５  Ａ１  （要約、請求項５、段落００１７）
【０００４】
前記特許文献７の請求項５には、爪先部に位置するスパイク爪の立ち上がり角度を、基板に対して前屈みの７２〜７５度とすることが開示されている。この特許文献７の段落００１７には、
「爪先部のスパイク爪の立ち上がり角度θを基板に対して前屈みの７２〜７５度とすれば、走行時にはその爪先部は後方斜め上方に傾くため、スパイク爪は、地面に対してほぼ直角になって食い込むこととなる。直角な食い込みは安定したグリップを得ることができる。その７２〜７５度の立ち上がり角度は爪先部のスパイク爪のみに採用することができる。」と記載されている。
更に、同文献の要約には、
「一本のスパイク爪をその基板でもって個別にアウトソールに取付ければ、その各スパイク爪の取付位置・立ち上がり角度θを任意に得ることができるため、守備位置の相違やプレーヤの癖等に十分に対応した最良位置等にスパイク爪を設けることができる。」と記載されている。
【発明の概要】
【０００５】
しかし、同文献には投手の投球動作や打者の打撃時に適したスパイクに関しては何ら示唆も開示もなされていない。
【０００６】
本発明の目的は、投手の投球動作や打者の打撃動作に適したスパイクを有する野球靴を提供することである。
【０００７】
本発明は１つの局面において、アウトソール２の下面２０に沿って前記アウトソール２に固定される固定部１０と、前記固定部１０から地面に向かって突出し地面に係合する板状の歯とが連なった金属製のスパイク１Ａ，１Ｂを前足部２ｆに複数有する野球靴であって、
前記複数のスパイク１Ａ，１Ｂのうち足の外側Ｌａに配置された外側スパイク１Ｂと、
前記複数のスパイク１Ａ，１Ｂのうち母趾球Ｏ１または足の内側Ｍｅにおける前記母趾球Ｏ１よりも前方Ｆに配置された１又は複数の内側スパイク１Ａと、を備え、
前記内側スパイク１Ａのうち少なくとも１つは、
前記板状の歯における前記固定部１０に連なる基端部１１ｂから当該歯の先端部１１ｅが足の内側Ｍｅに向かうように、前記板状の歯の面１５が前記アウトソール２の前記下面２０に対して傾いた傾き歯１２を備える。
なお、本発明における「固定部」は「基板部」と表現される場合があり、また、「歯」は「爪」ないし「係合爪」と表現される場合がある。
【０００８】
前記投球動作の際に、投手の軸足はホームベースに対し直交する方向に配置され、かつ、投球動作の後半期において、前足部の外側および後足部が地面から離れる。一方、この後半期において、前記軸足の前足部の内側は、地面に接地しており、かつ、膝下とマウンドの表面とのなす角が直角よりも小さくなる。
【０００９】
かかる投球動作の後半期において、母趾球Ｏ１または足の内側Ｍｅにおける前記母趾球Ｏ１よりも前方Ｆに配置された１又は複数の内側スパイク１Ａは、歯の面１５の基端部１１ｂから歯の先端部１１ｅが足の内側Ｍｅに向かうように、前記板状の歯の面１５が前記アウトソール２の前記下面２０に対して傾いていることで、地面に食い込む歯の面１５が直角になり易く、地面に対する係合力が増大する。
【００１０】
そのため、ボールのスピードアップが期待できるだけでなく、前記膝下とマウンド表面のなす角θが小さくなって、ボールを手離すタイミングに遅れが生じ、打者にとっては打ち難くなることが期待できる。さらに、前記係合力の増大は軸足を安定化させ、コントロールの向上も期待できる。
【００１１】
同様に、打撃動作の際に、打者の軸足は、ホームベースに対し直交した方向に配置され、かつ、スイングの開始後に、前記投球動作時と近似した動作となる。したがって、前足部の内側の傾き歯の歯面が地面に対し直角になり易く、地面に対する係合力が増大する。そのため、打撃成績の向上が期待できる。
【００１２】
本発明において、足の外側Ｌａとは長軸Ｌ０よりも外側の部位をいい、足の内側Ｍｅとは長軸Ｌ０よりも内側の部位をいう。
また、「内側スパイク１Ａが母趾球Ｏ１に配置され」とは、母趾球Ｏ１の少なくとも一部と内側スパイク１Ａの歯または固定部１０の少なくとも一部とが重なっていることを意味する。
以下、「配置され」の文言は同様に解釈されなければならない。
【００１３】
本発明において、アウトソール２は、樹脂で成形された成型品でも革底でもよい。成型品の場合、アウトソール２の下面２０に多数の靴底意匠と呼ばれる凹凸や成型品に一体に成形された突起を設けてもよい。
【００１４】
アウトソール２の下面２０に多数の凹凸等がある場合、前記下面２０は前記凹凸がないと考えた場合の仮想の平面を意味する。
傾き歯１２は一般に固定部１０に対し傾き、たとえば、傾き歯１２と固定部１０は９０°よりも大きな鈍角をなす。しかし、スパイクの固定部１０を装着する部分のアウトソール２の表面が傾斜面である場合、固定部１０と傾き歯１２とは直角であってもよい。
【図面の簡単な説明】
【００１５】
【図１】本発明の運動靴の実施例１にかかるソールを示す底面図である。
【図２】前足部のスパイクとアウトソールとの関係を示す概略底面図である。
【図３】前足部のスパイクと足の骨格との関係を示す概略底面図である。
【図４】図４Ａは内側および外側スパイクの拡大平面図および断面図、図４Ｂおよび図４Ｃは、それぞれ、傾き歯および非傾き歯を示す断面図である。
【図５】内側および外側スパイクの拡大斜視図である。
【図６】図６Ａおよび図６Ｂは、それぞれ、スパイクの他の例を示す拡大斜視図である。
【図７】図７Ａは投球動作における足への反力の変化を示すグラフ、図７Ｂは内側への反力Ｆｙと球速との関係を示すグラフである。
【図８】前記反力Ｆｙの時間的変化を示すグラフである。
【図９】前記反力Ｆｙのピーク時期の差を示す棒グラフである。
【図１０】足の骨格と長軸との関係を示す平面図である。
【発明を実施するための形態】
【００１６】
本発明において好ましくは、前記傾き歯１２の面１５が前記アウトソール２の下面２０の法線Ｖとなす傾き角θが５°〜５５°に設定されている。
傾き角θが５°よりも小さいと、前記係合力がアップする効果を得にくいだろう。一方、傾き角θが５５°を超えると、傾きが大きすぎて足元が不安定になり易かったり、あるいは、係合力が低下するかもしれない。
【００１７】
同様の理由から、好ましくは、前記傾き歯１２の面１５が前記アウトソール２の下面２０の法線Ｖとなす傾き角θが２０°〜５５°に設定されている。
【００１８】
好ましくは、前記１又は複数の傾き歯１２の足の長軸Ｌ０方向の最前端１２ｆから最後端１２ｂまでの距離Ｄ１が２０〜８０ｍｍに設定されている。
前記距離Ｄ１が２０ｍｍよりも小さいと、投球時等に係合力を得るための傾き歯１２が局所的な配置となり、そのため、動作にバラツキが生じ易くなるかもしれない。
一方、前記距離Ｄ１が８０ｍｍよりも大きいと、アウトソール２の内側の母趾球Ｏ１と爪先までの領域に配置しにくい。
【００１９】
好ましくは、前記傾き歯１２の内側スパイク１Ａが第１趾Ｂ１に配置され、
足の長軸Ｌ０と前記傾き歯１２の前記基端部１１ｂが延びる仮想の第１ラインＬ１とのなす配置角αは足の先端側において０°〜２０°、あるいは、足の後端側において０°〜１０°となるように設定されている。
なお、本発明において「第１趾」とは、「第１末節骨、第１基節骨および第１中足骨」を含む概念である。
【００２０】
この場合、第１趾Ｂ１に配置された傾き歯１２が長軸Ｌ０に沿って前後に延びる。そのため、アウトソール２の前足部２ｆの外側Ｌａと後足部２ｂとが地面から離れ、前足部２ｆの内側Ｍｅの特に第１趾Ｂ１に対する内側への反力Ｆｙ（地面反力）が大きくなるべきタイミングにおいて、前記傾き歯１２が地面に係合し易くなる。
【００２１】
ここで、配置角αが０°であることは、傾き歯１２の基端部１１ｂが延びる第１ラインＬ１が長軸Ｌ０に平行であることを意味する。また、配置角αが足の先端側において０°よりも大きく２０°以下である場合、前方Ｆに行くに従い基端部１１ｂの第１ラインＬ１が長軸Ｌ０に近づく。一方、配置角αが足の後端側において０°よりも大きく１０°以下である場合、前方Ｆに行くに従い基端部１１ｂの第１ラインＬ１が長軸Ｌ０から離れる。
【００２２】
前記傾き歯１２がアウトソールの内縁に沿って円弧状に湾曲している場合や底面から見て「く」の字状に屈曲している場合、当該傾き歯１２の配置角αは平均値で算出されなければならない。
【００２３】
好ましくは、前記内側スパイク１Ａは前記傾き歯１２が前記母趾球Ｏ１よりも前方Ｆに配置され、かつ、
前記傾き歯１２よりも傾きが小さいか又は前記傾きを有していない非傾き歯１１、あるいは、前記傾き歯１２とは別の傾き歯が前記母趾球Ｏ１に配置されている。
【００２４】
一般に、母趾球Ｏ１にはスパイクを配置するのが好ましいが、傾き歯１２を足の内側の母趾球Ｏ１よりも前方Ｆに配置することで、母趾球Ｏ１よりも前方の基節骨および末節骨の部位に内側への反力Ｆｙを受け易くなる。
【００２５】
更に好ましくは、前記内側スパイク１Ａの前記傾き歯１２の固定部１０と前記内側スパイク１Ａの非傾き歯１１又は前記別の傾き歯の固定部との間を連結する金属製の第１連結部１３と、
前記外側スパイク１Ｂよりも前方Ｆに配置された爪先スパイク１Ｃの固定部１０と前記外側スパイク１Ｂの固定部１０との間を連結する金属製の第２連結部１４とを更に備え、
前方Ｆに向かうに従い内側Ｍｅに傾いた仮想の第２ラインＬ２を含む分離帯２１により、前記２つの連結部１３，１４が互いに分離されている。
【００２６】
この場合、両連結部１３，１４により、爪先部分の横軸のまわりの耐屈曲力が増大し、地面に力を伝え易い。
一方、両連結部１３，１４を第２ラインＬ２を含む分離帯２１により２つに分離しているので、足の内側Ｍｅを外側Ｌａに対し屈曲させ易く、プレート操作が容易になることが期待できる。
【００２７】
好ましくは、前記外側スパイク１Ｂよりも前方Ｆに配置された爪先スパイク１Ｃおよび前記外側スパイク１Ｂの各歯は前記傾き歯１２よりも傾きが小さいか、あるいは、前記傾きを有していない非傾き歯１１である。
【００２８】
この場合、外側スパイク１Ｂおよび爪先スパイク１Ｃが非傾き歯１１で形成されているから、投球や打撃時の初期動作や守備の動作に支障を来しにくい。
【００２９】
更に好ましくは、前記傾き歯１２の前記アウトソール２の下面２０からの距離Ｄｈが前記非傾き歯１１のそれよりも小さいか、あるいは、同じである。
【００３０】
傾き歯１２の前記距離Ｄｈが小さい場合、傾き歯１２が長くなりすぎず、投球動作が安定するかもしれない。一方、傾き歯１２と非傾き歯１１で距離Ｄｈが同じである場合、歩行や走行の姿勢が安定するかもしれない。
【００３１】
更に好ましくは、前記傾き歯１２の前記固定部１０からの突出長さＰｌが、前記非傾き歯１１のそれよりも小さいか又は大きいか、あるいは、同じである、野球靴。
【００３２】
前記突出長さＰｌが小さい場合、投球動作が安定し易いかもしれない。
前記突出長さＰｌが傾き歯１２と非傾き歯１１で同じである場合、歯幅が小さくても、従来よりも大きな係合力を得やすい。
前記突出長さＰｌが大きい場合、係合力の大幅な増大を図り得る。
【００３３】
以上の各好ましい例について、２以上の例を組み合わせて更に好ましい例とすることができるだろう。あるいは、以上の各好ましい例の構成要素の一部を別の好ましい例と捉えることができるだろう。
【実施例】
【００３４】
以下、本発明の実施例を図面にしたがって説明する。
図１〜図５は実施例１を示す。
【００３５】
図１においてアウトソール２は熱可塑性のプラスチック製で、前足部２ｆおよび後足部２ｂに多数の凹凸を有すると共に、中足部２ｍにリヴや貫通孔２ｈが形成されている。アウトソール２は革底であってもよいが、プラスチック製の方が軽量になる。
なお、アウトソール２の上方には足の甲を包むアッパーが固着される。
【００３６】
前記アウトソール２の下面２０には、金属製の内側スパイク１Ａ、外側スパイク１Ｂ、爪先スパイク１Ｃおよび後足部のスパイク１Ｄが取り付けられている。これらのスパイク１Ａ〜１Ｄはスパイク金具とも呼ばれ、
アウトソール２の下面２０に沿って前記アウトソール２に固定される固定部１０と、前記固定部１０から地面に向かって突出し地面に係合する板状の歯とが一体に連なって形成されている。
【００３７】
なお、各スパイク１Ａ〜１Ｄは一般に打抜き加工と曲げ加工で形成されるが、金型などで成形されたものであってもよい。また、各固定部１０はアウトソール２と同一又は親和性の良い熱可塑性のプラスチックで包まれていてもよい。
【００３８】
前記固定部１０にはリベットやネジなどの締結具が挿通される挿通孔１０ｈが形成され、前記挿通孔１０ｈに挿通された締結具により各スパイク１Ａ〜１Ｄがアウトソール２に固定される。
【００３９】
図２および図３に示すように前足部２ｆには複数のスパイク１Ａ〜１Ｃを有する。なお、図２および図３において、後足部のスパイク１Ｄの図示は省略されている。
内側スパイク１Ａは、母趾球Ｏ１または足の内側Ｍｅにおける前記母趾球Ｏ１よりも前方Ｆに配置されている。一方、外側スパイク１Ｂは足の外側Ｌａに配置されている。また、爪先スパイク１Ｃは外側スパイク１Ｂよりも前方Ｆに配置されている。
【００４０】
前記内側スパイク１Ａのうち、母趾球Ｏ１よりも前方に配置された２つの内側スパイク１Ａは傾き歯１２を備える。すなわち、図４Ａ、図４Ｂおよび図５に示すように前記板状の傾き歯１２は前記固定部１０に連なる基端部１１ｂから当該歯の先端部１１ｅが足の内側Ｍｅに向かうように、前記板状の歯の面１５が前記アウトソール２の前記下面２０に対して傾いている。
なお基端部１１ｂには基端部１１ｂの剛性を高める膨出部１１ａが形成されている。
【００４１】
図４Ｂにおいて、前記傾き歯１２の歯の面１５が前記アウトソール２の下面２０の法線Ｖとなす傾き角θが好ましくは５°〜５５°に設定され、より好ましくは、傾き角θが２０°〜５５°に設定されている。
【００４２】
図３の前記内側スパイク１Ａのうち、前記母趾球Ｏ１および母趾球Ｏ１よりも後方の内側スパイク１Ａ、外側スパイク１Ｂ、爪先スパイク１Ｃおよび後足部のスパイク１Ｄ（図１）は、非傾き歯１１を有する。すなわち、図４Ｃに示すように、これらの非傾き歯１１は前記傾き歯１２よりも傾きが小さいか、あるいは、前記傾きを有していない状態で、固定部１０に非傾き歯１１が連なっている。
非傾き歯は、一般的に、法線Ｖに平行で固定部１０に対して直角であるが、傾き角θは０°〜５°であってもよいし、５°以上であってもよい。
【００４３】
図３に示すように、前記傾き歯１２の内側スパイク１Ａは第１趾Ｂ１に配置されている。つまり、傾き歯１２を持つ内側スパイク１Ａの少なくとも一部が第１趾Ｂ１の少なくとも一部とラップする（重なる）。
【００４４】
本実施例の場合、足の長軸Ｌ０と前記傾き歯１２の前記基端部１１ｂが延びる仮想の第１ラインＬ１とのなす配置角αは、足の先端側において０°〜２０°に設定されている。
配置角αはあるいは、足の後端側において０°〜１０°となるように設定されてもよい。
すなわち、前記第１ラインＬ１を反時計回りに回転させた場合、前記第１ラインＬ１と前記足の長軸Ｌ１との交点が足の後端側に位置し、配置角αは０°〜１０°となるように設定されてもよい。
例えば、母趾球Ｏ１にこのように設定された傾き歯１２を配置してもよい。
なお、図１０に明示するように、長軸Ｌ０とは、母趾球Ｏ１と小趾球Ｏ５との中点Ｏ３と踵の中心Ｏ４とを結んだ直線上に配置される。
【００４５】
前記内側スパイク１Ａは前記傾き歯１２が前記母趾球Ｏ１よりも前方Ｆに配置されている。一方、非傾き歯１１を有する内側スパイク１Ａが母趾球Ｏ１および母趾球Ｏ１よりも後方の内側Ｍｅに配置されている。
なお、前記母趾球Ｏ１には、前記傾き歯１２とは別の傾き歯１２が配置されてもよい。
【００４６】
図５において、本実施例の場合、２枚の傾き歯１２の足の長軸Ｌ０方向の最前端１２ｆから最後端１２ｂまでの距離Ｄ１が２０〜４０ｍｍに設定されるのが好ましい。
なお、母趾球Ｏ１に非傾き歯１１に代えて傾き歯１２を配置する場合、前記Ｄ１は４０〜８０ｍｍに設定されるのが好ましい。
【００４７】
本実施例の場合、複数の各傾き歯１２の歯幅Ｄは８〜１５ｍｍ程度に設定される。傾き歯１２が複数ではなく１枚である場合、歯幅Ｄは２０〜４０ｍｍ程度が好ましいだろう。
【００４８】
内側Ｍｅの３つの内側スパイク１Ａは第１連結部１３で互いに連結されている。すなわち、金属製の第１連結部１３は前記内側スパイク１Ａの前記傾き歯１２の固定部１０と前記内側スパイク１Ａの非傾き歯１１又は前記別の傾き歯１２の固定部１０との間を連結する。したがって、前足部２ｆの３つの内側スパイク１Ａは１つの金具で一体に形成されている。
【００４９】
前記爪先スパイク１Ｃは最前端の外側スパイク１Ｂよりも前方Ｆに配置され、本実施例の場合、長軸Ｌ０上に配置されている。前記爪先スパイク１Ｃと前記最前端の外側スパイク１Ｂとは第２連結部１４を介して互いに連結されている。すなわち、金属製の第２連結部１４は爪先スパイク１Ｃの固定部１０と前記外側スパイク１Ｂの固定部１０との間を連結する。
なお、爪先スパイク１Ｃは、長軸ＬＯに対し足の内側に配置されてもよいし、または、長軸ＬＯに対し足の外側に配置されてもよい。
【００５０】
前記内側Ｍｅの連結部１３で連結された３つの内側スパイク１Ａと、前記外側Ｌａの第２連結部１４で連結された２つの外側スパイク１Ｂとは分離帯２１により分離されている。分離帯２１は前方Ｆに向かうに従い内側Ｍｅに傾いた直線上の仮想の第２ラインＬ２を含む。
【００５１】
本実施例の場合、図４Ｂの前記傾き歯１２の前記アウトソール２の下面２０からの距離Ｄｈは図４Ｃの前記非傾き歯１１のそれＤｈよりも小さいが、距離Ｄｈは互いに同じであってもよい。
本実施例の場合、図４Ｂの前記傾き歯１２の前記固定部１０からの突出長さＰｌは、前記非傾き歯１１のそれよりも小さいが、逆に、突出長さＰｌは傾き歯１２の方が非傾き歯１１よりも大きいか、あるいは、同じであってもよい。
【００５２】
図６ＡおよびＢは、傾き歯１２の他の例を示す。
図６Ａに示すように、２枚の傾き歯１２の傾き角θは、互いに異なっていてもよい。この場合、最も前方の傾き歯１２の傾き角θよりも、その後方の傾き歯１２の傾き角θを小さく設定するのが好ましいだろう。
【００５３】
図６Ｂに示すように、２枚の傾き歯１２の突出長さＰｌが互いに異なっていてもよい。その場合においても、傾き歯１２の突出長さＰｌは非傾き歯１１の突出長さＰｌよりも小さいのが好ましいだろう。
【００５４】
図５の前記実施例においては、第１および第２連結部１３，１４を設けたが、これらの連結部１３，１４は必ずしも設ける必要はない。
また、連結部１３，１４を設けずに、代りに、傾き歯１２を有する内側スパイク１Ａと爪先スパイク１Ｃとを連結し、一方、非傾き歯１１を持つ内外のスパイク１Ａ，１Ｂを互いに連結してもよい。
【００５５】
前記実施例では、図４Ａの傾き歯１２は平面視において平板（フラット）状であったが、傾き歯１２は非傾き歯１１のように平面視において「く」の字状や円弧状に湾曲していてもよい。
【００５６】
また、図４Ｂの傾き歯１２は断面視において直線状であったが、傾き歯１２は２段階以上に曲げられていてもよい。この場合、傾き歯１２の剛性アップを図り易いだろう。
【００５７】
本実施例は投球動作や打撃動作の軸足に用いることにより、その効果が得られるが、左利き用および右利き用を用意してもよいが、左右の両足を同じ構造（対称形）とする方が在庫コストが生じにくい。
【００５８】
つぎに、本発明の効果を明らかにするために、試験例および比較例について説明する。
まず、試験例として図１〜図５に示す野球靴を用意した。一方、比較例として、革底で爪先に３枚の歯を有する野球靴を用意した。
【００５９】
男性４名を被験者として（野球経験有、投手経験少）、全力投球を行った際の球速と床反力ＧＲＦを測定した。投球は床反力ＧＲＦの測定を容易にするためにマウンドではなくフラットな床面上において行った。
【００６０】
前記投球時の時間（単位：秒）に対する床反力ＧＲＦの成分Ｆｘ，Ｆｙ，Ｆｚの変化を測定した結果を図７Ａに示す。その結果、試験例は比較例に比べ、軸足の蹴り出し方向の成分（床反力）Ｆｙの最大値が平均して約４％程度増加した。
【００６１】
また、図７Ｂに示すように、前記成分Ｆｙの大きさと球速との関係を算出したところ、前記成分Ｆｙが増大すると球速が速くなることが分かった。実際、比較例の靴を用いた場合に比べ、本試験例の靴を用いた場合、平均値で約３ｋｍ／ｈ速くなっていた。
【００６２】
つぎに、４人の被験者について前記成分Ｆｙのピーク位置、つまり、軸足の蹴り出し方向の床反力Ｆｙが最大となるタイミングを算出した。この算出は、投球時に軸足が床から離れた瞬間ＴＥを基準にして算出した。
【００６３】
前記算出の結果を図８および図９に示す。
図８は、被験者１が試験例および比較例の靴を履き、それぞれ６回ずつ投球を行った場合の平均波形におけるピーク値の差を示している。
図８の実線で示す試験例の場合、成分Ｆｙが増大するだけでなく、二点鎖線で示す比較例に比べ前記基準時ＴＥに近いタイミングで成分Ｆｙのピークが現れる。つまり、成分Ｆｙのピークに遅れが生じている。
【００６４】
図９は、被験者１〜４が試験例および比較例の靴を履き、それぞれ６回ずつ投球を行った場合のピーク出現時間の平均値の差を示している。
図９に示すように、成分Ｆｙのピークの遅れは被験者１〜４によってバラツキがあったものの、相対的に試験例の方が成分Ｆｙのピークに遅れが出易いことが分かる。
なお、図８は波形グラフの平均値の差を示しているのに対し、図９はピークが出現するまでの時間の平均値の差を示しているため、被験者１について両図においてグラフの数値が異なっている。
【産業上の利用可能性】
【００６５】
本発明は冒頭に述べた種々野球靴に利用できる。
【符号の説明】
【００６６】
１Ａ：内側スパイク  １Ｂ：外側スパイク  １Ｃ：爪先スパイク  
１Ｄ：後足部のスパイク
１０：固定部  １０ｈ：挿通孔  １１：非傾き歯  １２：傾き歯  １２ｆ：最前端  
１２ｂ：最後端
１３：第１連結部  １４：第２連結部  １５：歯の面
１１ｂ：基端部  １１ｅ：先端部
２：アウトソール  ２０：下面  ２１：分離帯  ２ｆ：前足部  ２ｍ：中足部  
２ｂ：後足部  ２ｈ：貫通孔
Ｆ：前方
Ｌ０：長軸  Ｌ１：第１ライン  Ｌ２：第２ライン
Ｌａ：外側  Ｍｅ：内側
θ：傾き角  α：配置角
Ｂ１：第１趾  Ｏ１：母趾球
Ｄ：歯幅  Ｄ１：距離  Ｄｈ：距離  Ｐｌ：突出長さ
【図１】
2014124401.tif 000003
【図２】
2014124401.tif 000004
【図３】
2014124401.tif 000005
【図４】
2014124401.tif 000006
【図５】
2014124401.tif 000007
【図６】
2014124401.tif 000008
【図７】
2014124401.tif 000009
【図８】
2014124401.tif 000010
【図９】
2014124401.tif 000011
【図１０】
2014124401.tif 000012